(57)【要約】【課題】摺動レールと押しボタンに設けられた摺動部が印刷配線板を貫通して設けられた押しボタン構造において、摺動レールと摺動部との間に潤滑材を塗布しても、摺動レールと摺動部の先端の端面から潤滑材がはみ出して作業者の手に付着することを防止する。【解決手段】スライドレール１８と摺動レール２０が印刷配線板３０を貫通して設けられ、スライドレール１８と摺動レール２０との間にグリス３４が塗布される押しボタン構造において、スライドレール１８の先端部１８ａを先端に向かうに従って徐々に細くなるように形成してグリス３４の液溜まりができるようにし、さらに摺動レール２０の先端にリブ状の規制部２０ｂを設ける。【選択図】図２
2008192449.tif 000002
【特許請求の範囲】
【請求項１】
ケースと、前記ケースに収容された印刷配線板と、前記ケースに前記印刷配線板を貫通するように設けられた摺動レールと、前記摺動レールと遊嵌して前記印刷配線板を貫通するとともに前記摺動レールの長手方向に沿って移動自在な摺動部を有した押しボタンと、前記押しボタンに押圧されて前記印刷配線板に設けられた接点と接触する導電部と、を備え、前記摺動レールと前記摺動部との間に潤滑材が塗布された押しボタン構造において、
前記摺動部の前記印刷配線板を貫通した先端部分に前記潤滑材を溜める液溜まり部を設けたことを特徴とする押しボタン構造。
【請求項２】
前記液溜まり部が、前記摺動部の先端部に設けられ、かつ、当該摺動部の先端に向かうに従って徐々に細くなるように形成したテーパー部を備えたことを特徴とする請求項１に記載の押しボタン構造。
【請求項３】
前記液溜まり部が、前記摺動レールの先端に設けられ、前記潤滑材が前記摺動部と前記摺動レールとの間にはみ出すことを規制する規制部を備えたことを特徴とする請求項１または２に記載の押しボタン構造。
【請求項４】
前記規制部が、前記摺動レールの先端から前記摺動部に向かって凸に形成されていることを特徴とする請求項１乃至３のうちいずれか一項に記載の押しボタン構造。
【請求項５】
請求項１乃至４のうちいずれか一項に記載の押しボタン構造を備えた電子機器。
【発明の詳細な説明】
【技術分野】
【０００１】
本発明は、電子機器などの操作に用いられる押しボタン構造に関する。
【背景技術】
【０００２】
例えば、ＣＤ（Compact Disk）などの光ディスクに記録された情報を読み出して、再生するＡＶ機器などの電子機器は、機器本体と、該機器本体内に収容されかつ前記ＣＤなどの光ディスクをクランプして該光ディスクから情報を読み出す再生部と、前記機器本体の表面に設けられかつ各種の操作を行う際に用いられる操作部とを備えている。
【０００３】
前述した操作部は、前記機器本体の外側に露出するとともに前記機器本体の外表面から突没自在に設けられて使用者などに押圧される押しボタン構造を備えている（例えば特許文献１）。
【０００４】
特許文献１に記載のキースイッチは、メンブレン印刷配線板の上方に装着されたフレームにスライドガイドを形成し、該スライドガイドの内周面にキートップの裏面に垂設された摺動部の外周面を上下に摺動できるように構成して、スライドガイドの内周面と摺動部の外周面との間に潤滑材を塗布している。
【０００５】
特許文献１に記載のキースイッチは、スライドガイドの内周面と摺動部の外周面との間に塗布した潤滑材によって打鍵時の騒音を防止しているが、押しボタンが突没するストロークが短いことから、ボタンのガタつきなど打鍵（押圧）時のフィーリングが悪くなることがあった。そこで、押圧時のフィーリングを改善するために、押しボタンが押されたことを検出する電気回路が形成されている印刷配線板に穴を空けてスライドガイドや摺動部を印刷配線板に貫通させて押しボタンが突没するストロークを延ばすことが提案されている。
【特許文献１】特開平１１−２１３８０８号公報
【発明の開示】
【発明が解決しようとする課題】
【０００６】
しかしながら、スライドガイドや摺動部のストロークを延ばすと、機器内部の部品配置の関係から印刷配線板をずらすことなくスライドガイドや摺動部を印刷配線板に貫通させるようにすることが多い。この場合、スライドガイドや摺動部の間には潤滑材が塗布されているために潤滑材がスライドガイドや摺動部の先端の端面からはみ出すことがあった。
【０００７】
潤滑材がはみ出すと、印刷配線板の裏面（スライドガイドや摺動部の先端が貫通して突出した側）に位置する部材の取り付けなどの作業の際に作業者の手に潤滑材が付着し、潤滑材が付着した手で他の部材や機器の外表面などを触ると潤滑材が転写してしまい、転写した潤滑材の除去などのために生産性が悪化するという問題があった。
【０００８】
そこで、本発明は、例えば、スライドガイドなどの摺動レールと押しボタンに設けられた摺動部が印刷配線板を貫通して設けられた押しボタン構造において、摺動レールと摺動部との間に潤滑材を塗布しても、摺動レールと摺動部の先端の端面から潤滑材がはみ出して作業者の手に付着することを防止することができる押しボタン構造を提供することを課題とする。
【課題を解決するための手段】
【０００９】
上記課題を解決するために、請求項１に記載の押しボタン構造は、ケースと、前記ケースに収容された印刷配線板と、前記ケースに前記印刷配線板を貫通するように設けられた摺動レールと、前記摺動レールと遊嵌して前記印刷配線板を貫通するとともに前記摺動レールの長手方向に沿って移動自在な摺動部を有した押しボタンと、前記押しボタンに押圧されて前記印刷配線板に設けられた接点と接触する導電部と、を備え、前記摺動レールと前記摺動部との間に潤滑材が塗布された押しボタン構造において、前記摺動部の前記印刷配線板を貫通した先端部分に前記潤滑材を溜める液溜まり部を設けたことを特徴としている。
【発明を実施するための最良の形態】
【００１０】
以下、本発明の一実施形態にかかる押しボタン構造を説明する。本発明の一実施形態にかかる押しボタン構造は、印刷配線板を貫通して摺動レールと摺動部が設けられ、摺動レールと摺動部との間に潤滑剤が塗布されている場合に、印刷配線板を貫通した先端部分に潤滑材を溜める液溜まり部を設けている。このようにすることによって、液溜まり部に余分な潤滑剤を溜めることができるために、摺動レールと摺動部の先端の端面から潤滑材がはみ出すことを防止でき、作業者の手に付着することが無くなる。
【００１１】
また、液溜まり部が、摺動部の先端部に設けられ、かつ、当該摺動部の先端に向かうに従って徐々に細くなるように形成したテーパー部を備えてもよい。このようにすることにより、テーパー部に余分な潤滑剤を溜めることができるので、摺動レールと摺動部の先端の端面から潤滑材がはみ出すことを防止でき、作業者の手に付着することが無くなる。
【００１２】
また、液溜まり部が、摺動レールの先端に設けられ、潤滑材が摺動部と摺動レールとの間にはみ出すことを規制する規制部を備えてもよい。このようにすることにより、規制部によって潤滑材がはみ出すことを防止できるので、摺動レールと摺動部の先端の端面から潤滑材がはみ出すことを防止でき、作業者の手に付着することが無くなる。
【００１３】
また、規制部が、前記摺動レールの先端から前記摺動部に向かって凸に形成されていてもよい。このようにすることにより、テーパー部で抑えきれない潤滑剤がはみ出すことを防止できるので、確実に摺動レールと摺動部の先端の端面から潤滑材がはみ出すことを防止でき、作業者の手に付着することが無くなる。
【００１４】
また、請求項１乃至４のうちいずれか一項に記載の押しボタン構造を電子機器に備えてもよい。このようにすることにより、電子機器の組み立て工程中に、潤滑剤が作業者の手に付着して生産性が悪化することを防止できる。
【実施例】
【００１５】
本発明の一実施例を、図１ないし図８に基づいて説明する。本発明の一実施例に係る電子機器としてのＡＶ（Audio-Visual）機器１は、移動体としての自動車のインストルメントパネル（以下、インパネと呼ぶ）などに装着される。以下、後述するＣＤやＭＤの表面と平行でかつこれらのＣＤやＭＤの出し入れする方向と平行な矢印Ｙを奥行き方向と呼び、ＣＤやＭＤの表面と平行でかつ前記奥行き方向Ｙに対し直交する矢印Ｘを幅方向と呼び、前記奥行き方向Ｙと幅方向Ｘとの双方に対し直交する矢印Ｚを厚み方向と呼ぶ。
【００１６】
図１は、本発明の一実施例に係る電子機器としてのＡＶ機器１の斜視図である。図２は、本発明の一実施例形態にかかる押しボタン構造の断面図である（図１のＩ−Ｉ線に沿う断面図である）。図３は押しボタン１１の斜視図である。図４は図１のＩＩ−ＩＩ線に沿う断面図である。
【００１７】
ＡＶ機器１は、図１に示すように、機器本体２と、再生装置としてのＣＤ（Compact Disc）プレーヤ３と、再生装置としてのＭＤ（Mini disc）プレーヤ４と、ラジオ放送を受信するＡＭ／ＦＭチューナ５と、表示部６と、操作部７とを備えている。
【００１８】
機器本体２は、箱状に形成されかつ前述したインパネに取り付けられる。機器本体２の図１中手前側に位置する一つの面２ａ（以下、前面ケースと呼ぶ）には、ＣＤ用挿入口８と、ＭＤ用挿入口９と、操作部用孔１３（図２に示す）とが開口している。なお、前面ケース２ａは、機器本体２がインパネに取り付けられると、外部に露出するとともに乗員（使用者ともいう）に相対する面である。ＣＤ用挿入口８は、内側にＣＤを通して、該ＣＤを機器本体２即ちＣＤプレーヤ３に出し入れする。ＭＤ用挿入口９は、内側にＭＤを通して、該ＭＤを機器本体２即ちＭＤプレーヤ４に出し入れする。操作部用孔１３は、前記前面ケース２ａを貫通している。操作部用孔１３は、操作部７の後述する押しボタン１１を収容する。
【００１９】
ＣＤプレーヤ３は、機器本体２に挿入されたＣＤの情報を読み出して、音声として出力する。ＭＤプレーヤ４は、機器本体２に挿入されたＭＤの情報を読み出して、音声として出力する。ＡＭ／ＦＭチューナ５は、ラジオ放送を受信して、音声として出力する。これらのプレーヤ３，４及びチューナ５は、操作部７に設けられた後述する押しボタン１１等を使用者が押圧することによって動作する。
【００２０】
表示部６は、前述した前面ケース２ａに取り付けられた蛍光表示管などからなる情報を表示する表示パネル１０を備えている。表示部６は、表示パネル１０に再生中のＣＤやＭＤのプログラムやチューナ５が受信中の放送局名などの情報を表示する。
【００２１】
操作部７は、一つの複合スイッチ１２と、複数の押しボタン１１などを備えている。複合スイッチ１２は、前記前面ケース２ａに対し直交する方向に沿って移動自在に設けられ、かつ前面ケース２ａに対し直交する軸芯回りに回転自在に支持された操作ノブ１５などを備えている。操作ノブ１５は、前面ケース２ａから突出する方向に付勢されているとともに、前記前面ケース２ａなどに係止して該前面ケース２ａから脱落することが規制されている。
【００２２】
複合スイッチ１２は、操作ノブ１５が押圧されることで、ＡＶ機器１全体の電源をオン・オフし、操作ノブ１５が軸芯回りに回転されることで、再生中又は受信中のプログラムの音量を調整するために用いられる。
【００２３】
押しボタン構造は、図２に示すように、押しボタン１１と、前面ケース２ａと、ホルダ２２と、ラバースイッチ２３と、印刷配線板３０とを備えている。
【００２４】
押しボタン１１は、図３に示すように、平面形状が矩形状の正面板１６と、該正面板１６から立設した複数の周板１７を備えている。周板１７の外表面には摺動部としてのスライドレール１８が、スライドする方向と平行に形成されている。テーパー部としてのスライドレール１８の先端部１８ａは先端に向かうに従って徐々に細くなるように形成されている。先端部１８ａは、周板１７の外表面に対して、外表面からスライドする方向（すなわちＹ方向）に沿って先端に向かうにしたがって徐々に周板１７の外表面に近づく方向に傾斜している。すなわち、摺動部の先端部に設けられ、かつ、当該摺動部の先端に向かうに従って徐々に細くなるように形成されている。
【００２５】
長手方向の周板１７の端部には、該周板１７の端部から凸の係止爪１９が設けられている。係止爪１９は、押しボタン１１が前面ケース２ａから操作部用孔１３内から脱落することを規制している。押しボタン１１は、正面板１６が前面ケース２ａと平行でかつ該前面ケース２ａより露出する状態で、操作部用孔１３内に収容されている。押しボタン１１は、正面板１６が前面ケース２ａから突没自在に、前記操作部用孔１３即ち前面ケース２ａにスライド自在に支持されている。図示例では、押しボタン１１は、複数（四つ）設けられている。
【００２６】
前面ケース２ａは、操作部用孔１３の外縁から機器本体２の内部（すなわちＹ方向）に向かって後述する印刷配線板３０に設けられた孔３３を貫通して摺動レール２０が延在している。摺動レール２０は、押しボタン１１のスライドレール１８と摺動自在に遊嵌されている。また、摺動レール２０の先端部２０ａには摺動レール２０と鉛直にスライドレール１８に向かって凸に形成された規制部２０ｂが設けられている。さらに、前面ケース２ａは、図４に示すように、押しボタン１１の係止爪１９に対応する部分に係止突起２１を設けている。係止突起２１は、前面ケース２ａ側に設けられており、前述した押しボタン１１の係止爪１９が係止する。
【００２７】
ホルダ２２は、略箱状に形成され、押しボタン１１の周板１７によって囲まれた中空部分に装入され、周板１７の内周面によって挟着されるように固定される。ホルダ２２は押しボタン１１に固定された状態で後述するラバースイッチ２３のボス部２５と接し、押しボタン１１が押圧されることでホルダ２２がボス部２５を押圧する。
【００２８】
ラバースイッチ２３は、絶縁性と弾性との双方を有する合成樹脂で構成されている。ラバースイッチ２３は、印刷配線板３０の前面ケース２ａ側の表面に重ねられている。ラバースイッチ２３は、平板部２４と、ボス部２５とを一体に備えている。平板部２４は、平板状に形成され、印刷配線板３０の表面に重ねられて、該印刷配線板３０と密に接触する。
【００２９】
ボス部２５は、平板部２４が印刷配線板３０に重ねられた際に、印刷配線板３０に形成された接点３２と重なる位置に設けられている。ボス部２５は、前記平板部２４を貫通した露出孔２６と、該露出孔２６の内縁から立設した立設部２７と、立設部２７の端に連なる接離部２８とを備えている。
【００３０】
露出孔２６の平面形状は、丸形である。露出孔２６は、印刷配線板３０に形成された接点３２を平板部２４から露出させる。立設部２７は、露出孔２６の縁から前面ケース２ａ即ちホルダ２２に向かって延在している。立設部２７は、露出孔２６の全周に設けられている。立設部２７は、ホルダ２２に向かうにしたがって露出孔２６の内径が小さくなる方向に、傾斜している。即ち、立設部２７は、外形が裁頭円錐状に形成されている。
【００３１】
接離部２８は、円柱状に形成されており、立設部２７のホルダ２２寄りの端に連なっている。接離部２８は、印刷配線板３０即ち接点３２と相対する表面に導電部２９を印刷している。接離部２８は、ボス部２５則ちラバースイッチ２３が弾性変形していない中立状態では、接点３２と間隔をあけている。接離部２８は、ボス部２５則ちラバースイッチ２３の弾性復元力に抗して、接点３２に向かって押圧されると、接点３２と接触する。
【００３２】
ボス部２５は、露出孔２６と立設部２７と接離部２８とが互いに同軸に配されている。ボス部２５は、接離部２８が接点３２に向かって押圧されると、主に立設部２７が弾性変形して、接離部２８が接点３２に近づくことを許容する。即ち、ラバースイッチ２３は、その接離部２８を接点３２に接離自在に設けている。接離とは、近づいたり離れることを示している。
【００３３】
印刷配線板３０は、前面ケース２ａ内に収容されている。印刷配線板３０は、絶縁性の基板３１と、該基板３１の表面に形成された配線パターンとを備えている。印刷配線板３０は、その両表面が前記前面ケース２ａと平行に配されている。基板３１には、図示しない各種の電子部品などが実装されている。配線パターンは、銅などの導電性の金属で構成されている。配線パターンは、箔状に形成されて、印刷配線板３０の表面に貼り付けられている。配線パターンは、前述した電子部品同士を予め定められたパターンにしたがって電気的に接続している。また、配線パターンの前記した接離部２８と対応する位置には接点３２が形成されている。さらに、印刷配線板３０は、前記した摺動レール２０およびスライドレール１８に対応する位置に摺動レール２０およびスライドレール１８が貫通可能な大きさの孔３３が設けられている。
【００３４】
前述した構成によれば、押しボタン１１は、ホルダ２２およびラバースイッチ２３のボス部２５により前面ケース２ａより突出した状態に位置付けられる。
【００３５】
そして、スライドレール１８と摺動レール２０との間には潤滑材としてのグリス３４が塗布されている。このグリス３４によって押しボタン１１が突出する際の初動及び動作速度を低下させて係止突起２１と係止爪１９が干渉する際に生じる打撃音を抑えている。
【００３６】
前述した構成の押しボタン構造は、押しボタン１１が使用者により押圧されることにより、ラバースイッチ２３の弾性復元力に抗して、ホルダ２２が接離部２８を接点３２に近づく方向に押圧する。すると、接離部２８の導電部２９が接点３２に接触して電気的に接続される。押しボタン構造は、押しボタン１１が使用者などから押圧されなくなると、ラバースイッチ２３の弾性復元力によって、導電部２９が接点３２から離れるとともに、ラバースイッチ２３がホルダ２２を押圧して、押しボタン１１を前面ケース２ａから突出させる。
【００３７】
次に、前述した押しボタン構造の組み立て工程を図５ないし図７を参照して説明する。まず、図５に示すように前面ケース２ａの摺動レール２０にグリス３４を塗布する。
【００３８】
次に、図６に示すように押しボタン１１を前面ケース２ａの操作部用孔１３へ前面ケース２ａ正面から挿入する。押しボタン１１が前面ケース２ａに挿入されると、摺動レール部２０にスライドレール１８が遊嵌される際に、塗布されたグリス３４が押しボタン１１のスライドレール１８によって引き伸ばされる。
【００３９】
そして、押しボタン１１が前面ケース２ａに組み付けられた状態、つまり係止爪１９と係止突起２１が噛み合い押しボタン１１が前面ケース２ａから脱落しない状態となった後に、ホルダ２２を押しボタン１１の内部へ挿入し、ラバースイッチ２３および印刷配線板３０を組み付けて押しボタン構造が組み立てられる。このときに、スライドレール１８と摺動レール２０がラバースイッチ２３および印刷配線板３０の孔３３を貫通するように組み立てられるが、スライドレール１８の先端部１８ａを形成したために、その先端部１８ａにグリス３４の液溜まりができるのでグリス３４のはみ出しが抑えられる。さらに、摺動レール２０の先端に規制部２０ｂを設けているので先端部１８ａによる液溜まりで抑えきれないグリス３４のはみ出しを抑えることができる。すなわち、摺動部の印刷配線板３０を貫通した先端部分に潤滑材を溜める液溜まり部が設けられている。
【００４０】
本実施例によれば、スライドレール１８と摺動レール２０が印刷配線板３０を貫通して設けられ、スライドレール１８と摺動レール２０との間にグリス３４が塗布される押しボタン構造において、スライドレール１８の先端部１８ａを先細に形成してグリス３４の液溜まりができるようにし、さらに摺動レール２０の先端にリブ状の規制部２０ｂを設けたことで、グリス３４のはみ出しを抑えることができるので、作業者の手に付着することが無くなる。
【００４１】
なお、上述した実施例では、図８（ａ）に示すようにスライドレール１８の先端部１８ａを先細に形成していたが、周板１７のスライドレール１８とともに印刷配線板３０を貫通して延在する部分の先端１７ａも図８（ｂ）に示すように先細に形成することで、先細に形成した斜面部分に液溜まりを作ることができるのでグリス３４のはみ出しを抑えることができる。
【００４２】
前述した実施例によれば、以下の押しボタン構造が得られる。
【００４３】
（付記１）前面ケース２ａと、前面ケース２ａに収容された印刷配線板３０と、前面ケース２ａから印刷配線板３０を貫通するように設けられた摺動レール２０と、摺動レール２０と遊嵌して印刷配線板３０を貫通するとともに摺動レール２０の長手方向に沿って移動自在なスライドレール１８を有した押しボタン１１と、押しボタン１１に押圧されて印刷配線板３０に設けられた接点３２と接触する導電部２９と、を備え、摺動レール２０とスライドレール１８との間にグリス３４が塗布された押しボタン構造において、
スライドレール１８の印刷配線板３０を貫通した先端部１８ａにグリス３４を溜める先端部１８ａを設けたことを特徴とする押しボタン構造。
【００４４】
この押しボタン構造によれば、先端部１８ａに余分なグリス３４を溜めることができるために、摺動レール２０とスライドレール１８の先端の端面からグリス３４がはみ出すことを防止でき、作業者の手に付着することが無くなる。
【００４５】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００４６】
【図１】本発明の一実施例にかかる電子機器としてのＡＶ機器の斜視図である。
【図２】本発明の一実施例にかかる押しボタン構造の断面図である。
【図３】押しボタンの斜視図である。
【図４】図１に示すＩＩ−ＩＩ線に沿う断面図である。
【図５】押しボタン構造の組み立ての説明図である。
【図６】押しボタン構造の組み立ての説明図である。
【図７】押しボタン構造の組み立ての説明図である。
【図８】押しボタンの他の実施例の斜視図である。
【符号の説明】
【００４７】
１        ＡＶ機器
２ａ      前面ケース
１１      押しボタン
１８      スライドレール（摺動部）
１８ａ    先端部（テーパー部）
２０      摺動レール
２０ｂ    規制部
２３      ラバースイッチ
３０      印刷配線板
３３      孔
３４      グリス（潤滑剤）
【図１】
2008192449.tif 000003
【図２】
2008192449.tif 000004
【図３】
2008192449.tif 000005
【図４】
2008192449.tif 000006
【図５】
2008192449.tif 000007
【図６】
2008192449.tif 000008
【図７】
2008192449.tif 000009
【図８】
2008192449.tif 000010